(57)【要約】      （修正有）【課題】つけまつ毛の接着力を落とすことなく、つけまつ毛を保持したつけまつ毛保持台部から素早い取りはがしを可能にし、安価で製作が容易なつけまつ毛ケースを提供する。【解決手段】つけまつ毛ケースにおいて、つけまつ毛を保持しておく為の保持台部の保持面に凹部分や凸部分等を設け、つけまつ毛を保持した状態でつけまつ毛の接着面に非密着部分が生じうる構造とする。【選択図】図１
0003177775.tif 000002
【実用新案登録請求の範囲】
【請求項１】
つけまつ毛用ケースにおいて、該つけまつ毛用ケース内につけまつ毛を貼り付けておく為の保持台部を有し、該保持台部の保持面につけまつ毛の接着面を保持した状態で、該つけまつ毛の接着面に非密着部分が生じうる保持台部を備えていることを特徴とするつけまつ毛用ケース。
【請求項２】
前記つけまつ毛の接着面に非密着部分が生じうる保持台部は、
その保持台部の保持面に凹部構造を備えていることを特徴とする請求項１に記載のつけまつ毛用ケース。
【請求項３】
前記つけまつ毛の接着面に非密着部分が生じうる保持台部は、
その保持台部の保持面に凸部構造を備えていることを特徴とする請求項１に記載のつけまつ毛用ケース。
【請求項４】
前記つけまつ毛の接着面に非密着部分が生じうる保持台部は、
その保持台部の保持面に凸凹構造を備えていることを特徴とする請求項１に記載のつけまつ毛用ケース。
【請求項５】
前記つけまつ毛の接着面に非密着部分が生じうる保持台部は、
その保持台部の保持面から裏面に向かって貫通孔が設けられていることを特徴とする請求項１につけまつ毛用ケース。
【考案の詳細な説明】
【技術分野】
【０００１】
本考案は、つけまつ毛の取りはがしが容易な保持台部を有するつけまつ毛用ケースに関するものである。
【背景技術】
【０００２】
従来、つけまつ毛ケースは、ケース内につけまつ毛を保持するための保持台を備え、その保持台は、つけまつ毛の接着部分を密着させて保持するよう構成されており、予め、保持台につけまつ毛を保持した状態で販売されているものや、コンピューターの外部記録用の円盤用ケースを利用したコンパクトな構造のものや、つけまつ毛の形状を製造時の理想的な形状のまま長時間保持が可能な構造のものが知られている。
【特許文献１】実願平９−４９８５
【特許文献２】実願２００９−８８０３号
【考案の開示】
【考案が解決しようとする課題】
【０００３】
しかしながら、従来のつけまつ毛ケースに用いられている保持台部の構造では、保持した状態のつけまつ毛を保持台部から取りはがす際、つけまつ毛の接着部がこの保持台部の保持面全体に密着するため、無理にはがそうとすると、途中でつけまつ毛自体が切れて使い物にならなくなり、市販のつけまつ毛が貼り付けられている、つけまつ毛入りケースであれば、はがし損をする場合が多かった。
【０００４】
このため、つけまつ毛の接着力を落とすことも考えられるが、この接着力が弱いと今度はつけまつ毛の、まつ毛又はまぶたへの付きが悪くなり、仮に付いたとしてもはがれ易く、別途液体接着剤等で補強しなければならない問題があった。
【０００５】
本考案は、上記問題を解決するため成されたもので、つけまつ毛の接着力を落とすことなく、保持した状態のつけまつ毛を保持台部から素早く取りはがせる、安価で製作が容易なつけまつ毛ケースを提供する。
【課題を解決するための手段】
【０００６】
つけまつ毛ケースにおいて、該つけまつ毛ケース内につけまつ毛を保持しておく為の保持台部を有し、その保持台部の保持面に凹部分や凸部分を設け、あるいは、保持台部の保持面から裏面に向かって貫通穴を開けておくことで、つけまつ毛を保持台部に保持した状態で、つけまつ毛の接着面に非密着部分が生じうる構造とする。
【考案の効果】
【０００７】
請求項１に記載の考案によれば、つけまつ毛を保持した状態で、つけまつ毛の接着面に非密着部分が生じえる構造にすることで、はがす為に必要以上の力を掛けずとも容易につけまつ毛を取りはがすことが出来る。
【０００８】
請求項２に記載の考案によれば、つけまつ毛を保持した状態で、つけまつ毛の接着面に、非密着部分が凹部による隙間として生じることで、はがす為に必要以上の力を掛けずとも容易につけまつ毛を取りはがすことが出来る。
【０００９】
請求項３に記載の考案によれば、つけまつ毛を保持した状態で、つけまつ毛の接着面に、非密着部分が凸部による隙間として生じることで、はがす為に必要以上の力を掛けずとも容易につけまつ毛を取りはがすことが出来る。
【００１０】
請求項４に記載の考案によれば、つけまつ毛を保持した状態で、つけまつ毛の接着面に、非密着部分が凸凹部による隙間として生じることで、はがす為に必要以上の力を掛けずとも容易につけまつ毛を取りはがすことが出来る。
【００１１】
請求項５に記載の考案によれば、つけまつ毛を保持した状態で、つけまつ毛の接着面に、貫通穴による非密着部分が生じることで、はがす為に必要以上の力を掛けずとも容易につけまつ毛を取りはがすことが出来る。
【考案を実施するための最良の形態】
【００１２】
つけまつ毛の接着面を、該つけまつ毛の接着面を保持させておく為の保持台部に設置する際、つけまつ毛の接着面に非接着部分が生じるように、保持台部の保持面に凹部又は凸部を備え、あるいは保持台部の保持面を凸凹構造にする。更には、保持台部の保持面から裏面に向かって貫通穴を開けておく。
【実施例１】
【００１３】
以下、図面を参照して本考案に係るつけまつ毛ケースの実施例を説明する。図１は、本考案に係る本実施例のつけまつ毛ケースである。図２は、本考案に係る本実施例のつけまつ毛ケース内に収容するトレイである。図３は、本考案に係る本実施例のつけまつ毛ケース図２におけるＡ−Ａ′の断面図である。図４は、図２におけるにおけるＢ−Ｂ′の断面図である。図５は、本考案に係る本実施例１の保持台部構造と保持台部につけまつ毛を保持した状態図である。図６は、本考案に係る本実施例１のつけまつ毛のはがし方を示す図である。図７は、本考案に係る本実施例１の保持台部構造とは別の凹部構造を示す図である。図８は、本考案に係る本実施例２の保持台部構造と保持台部につけまつ毛を保持した状態図である。図９は、本考案に係る本実施例３の保持台部構造と保持台部につけまつ毛を保持した状態図である。図１０は、本考案に係る本実施例４の保持台部構造と保持台部につけまつ毛を保持した状態図である。
【００１４】
まず、つけまつ毛用ケース内に、保持面１０が凹部構造６の保持台部３を有するつけまつ毛ケース１を成形するにあたり、図１乃至図４のように、つけまつ毛用ケース内に収容するトレイ１につけまつ毛２の接着面４を保持させておく為の保持台部３を成形すると共に、この保持台部３のつけまつ毛が保持される保持面１０に凹部を２箇所設ける。
【００１５】
このように凹部を設けることで、つけまつ毛２を保持台部３に保持した状態では、つけまつ毛２の接着面４と保持台部３の保持面１０とが完全に密着せず、図５のように非密着部分５が隙間として生じている。
【００１６】
この隙間により、つけまつ毛２の接着面４の全体が保持台部３の保持面１０に密着することを防ぎ、接着面積が少なくなっているため、これまでより少ない力でつけまつ毛２を取りはがすことが出来る。
【００１７】
また、図５のように外からピンセットの先を隙間に差し込めるような凹部構造６を設ければ、図６のように一方の隙間にピンセットを差し込んで保持台部３とは反対方向にピンセットを動かせば、簡単にその部分がはがれ、次にもう一方の隙間からも同様の作業をすることで、つけまつ毛２を傷つけることなく完全に取りはがすことが出来る。
【００１８】
なお、凹部構造６は、上記例のような直線的な溝による構造に限らず、流線的な溝による構造、環形状やハート形状あるいは星形状に沿った溝による構造、図７のようなゴルフボールのディンプル構造等であっても構わない。
【実施例２】
【００１９】
次に、つけまつ毛用ケース内に、保持面１０が凸部構造７の保持台部３を有するつけまつ毛ケース１を成形するにあたり、つけまつ毛用ケース内に収容するトレイに図８のように、つけまつ毛２の接着面４を保持させておく為の保持台部３を成形すると共に、この保持台部３のつけまつ毛２が保持される保持面１０に凸部を１箇所設ける。
【００２０】
このように凸部を１ヶ所設けることで、凸部の周辺は、つけまつ毛２を保持台部２に保持した状態で非密着部分５が隙間として生じている。
【００２１】
この隙間により、つけまつ毛２の接着面３の全体が保持台部３の保持面１０に密着することを防ぎ、接着面積が少なくなっているため、これまでより少ない力でつけまつ毛２を取りはがすことが出来る。
【００２２】
また、図８のように外からピンセットの先を隙間に差し込めるような凸部構造７を設ければ、保持台部３とは反対方向にピンセットを動かせば、簡単にその部分がはがれ、次にもう一方の隙間からも同様の作業をすることで、つけまつ毛２を傷つけることなく完全に取りはがすことが出来る。
【００２３】
なお、凸部構造７は、上記例のような直線的な連続した凸部による構造に限らず、流線的な連続した凸部による構造、環形状やハート形状あるいは星形状に沿った凸部による構造、図７のようなゴルフボールのディンプル構部分が逆に出っ張った凸部構造等であっても構わない。
【実施例３】
【００２４】
実施例１及び実施例２でも考案が抱える課題を十分解決するものであるが、更に凸凹表面構造８を有する保持台部３であっても、同様の効果を有する。
【００２５】
実施例３は、図９のように実施例１及び実施例２よりも細かい凸凹表面で覆われた保持台部３を有する。
【００２６】
このように凸凹表面を設けることで、凸凹表面は、つけまつ毛２を保持台部３に保持した状態でいわば凸部の頂点で接着面を支えており、頂点以外の部分では非密着部分５が隙間として生じている。
【００２７】
この隙間により、つけまつ毛２の接着面３の全体が保持台部３の保持面１０に密着することを防ぎ、接着面積が少なくなっているため、これまでより少ない力でつけまつ毛２をつけまつ毛の保持台部３から取りはがすことが出来る。
【実施例４】
【００２８】
実施例４は、その保持台部３の保持面１０から裏面に向かって貫通穴９を設ける。
【００２９】
図１０のように貫通穴９を設けることで、つけまつ毛２を保持台部３に保持した状態でも、つけまつ毛２の接着面４の一部は、貫通穴９による非密着部分５となっている。
【００３０】
この非密着部分５により、つけまつ毛２の接着面３の全体が保持面１０に密着することを防ぎ、接着面積が少なくなっているため、これまでより少ない力でつけまつ毛２をつけまつ毛の保持台部３から取りはがすことが出来る。
【００３１】
また、外からピンセットの先で保持台部裏面の貫通穴９よりつけまつ毛の接着面４を押せば、簡単にその部分がはがれ、次にもう一方の貫通穴９からも同様の作業をすることで、つけまつ毛２の傷つけることなく完全に取り離すことが出来る。
【００３２】
なお、貫通穴９による保持台部の場合、保持台部の厚さは、ピンセットの先が貫通穴９から多少覗く程度が望ましい。
【００３３】
このように、好ましい実施例を挙げて本考案を説明したが、本考案はその実施例に限定されるものではなく、本考案の要旨の範囲内で種々に組み合わせや改変できる。
【００３４】
そして、凹部、凸部、凸凹部、貫通孔の数、大きさ、形状、間隔も同様の効果が生じれば、実施例に限定されず、また表面のデザイン性を重視する点からも自由である。
【００３５】
更に、ケース全体の形状は、本考案の保持台部を有する限り限定しない。
【００３６】
最後に、本考案のまつ毛ケース内に収容するトレイ１の成形方法は、プレスによる１体成形が可能であるが、保持台部の形状成形が複雑なものについては、別体で成形した保持台部をトレイ又は、つけまつ毛ケース内に後付しても構わない。
【図面の簡単な説明】
【００３７】
【図１】本考案に係る本実施例のつけまつ毛ケースである。
【図２】本考案に係る本実施例のつけまつ毛ケース内に収容するトレイである。
【図３】図１におけるＡ−Ａ′の断面図。
【図４】図２におけるにおけるＢ−Ｂ′の断面図。
【図５】本考案に係る本実施例１の保持台部構造と保持台部につけまつ毛を保持した状態図。
【図６】本考案に係る本実施例１のつけまつ毛をはがし方を示す図。
【図７】本考案に係る本実施例１の保持台部構造とは別の凹部構造を示す図。
【図８】本考案に係る本実施例２の保持台部構造と保持台部につけまつ毛を保持した状態図。
【図９】本考案に係る本実施例３の保持台部構造と保持台部につけまつ毛を保持した状態図。
【図１０】本考案に係る本実施例４の保持台部構造と保持台部につけまつ毛を保持した状態図。
【符号の説明】
【００３８】
１  トレイ
２  つけまつ毛
３  保持台部
４  接着面
５  非密着部分
６  凹部構造
７  凸部構造
８  凸凹表面構造
９  貫通孔
１０  保持面
【図１】
0003177775.tif 000003
【図２】
0003177775.tif 000004
【図３】
0003177775.tif 000005
【図４】
0003177775.tif 000006
【図５】
0003177775.tif 000007
【図６】
0003177775.tif 000008
【図７】
0003177775.tif 000009
【図８】
0003177775.tif 000010
【図９】
0003177775.tif 000011
【図１０】
0003177775.tif 000012